(57)【要約】    【課題】移動通信端末機のＳＭＳを、インターネットを介して遠隔地から制御し、該遠隔地から移動通信端末機のＳＭＳが正常に実行されているかどうか（動作しているかどうか）を容易に確認することができる、移動通信端末機のショートメッセージサービス遠隔制御方法及び遠隔制御システムを提供する。    【解決手段】移動通信端末機のショートメッセージサービス遠隔制御方法は、ＳＭＳメッセージを、インターネットを介して遠隔地に位置する第１移動通信端末機２０１に転送する段階と、前記第１移動通信端末機２０１に転送されたＳＭＳメッセージを前記遠隔地に位置する第２移動通信端末機に転送する段階と、前記第２移動通信端末機２０２に転送されたＳＭＳメッセージを、インターネットを介して転送する段階とを含む。【選択図】図１
2006148933.tif 000002
【特許請求の範囲】
【請求項１】
ＳＭＳメッセージを、インターネットを介して遠隔地に位置する第１移動通信端末機に転送する段階と、
前記第１移動通信端末機に転送されたＳＭＳメッセージを前記遠隔地に位置する第２移動通信端末機に転送する段階と、
前記第２移動通信端末機に転送されたＳＭＳメッセージを、前記インターネットを介して転送する段階と、
を含むことを特徴とする移動通信端末機のショートメッセージサービス遠隔制御方法。
【請求項２】
前記インターネットを介して前記第２移動通信端末機から受信したＳＭＳメッセージを表示する段階をさらに含むことを特徴とする請求項１に記載の移動通信端末機のショートメッセージサービス遠隔制御方法。
【請求項３】
前記ＳＭＳメッセージは、ＳＭＳをテストするためのＳＭＳテストメッセージであることを特徴とする請求項１に記載の移動通信端末機のショートメッセージサービス遠隔制御方法。
【請求項４】
前記ＳＭＳメッセージを第１移動通信端末機に転送する段階は、
前記インターネットに接続されたサーバシステムにより、前記ＳＭＳメッセージを前記インターネットに接続されたクライアントシステムに転送する段階と、
前記クライアントシステムに転送されたＳＭＳメッセージを、前記クライアントシステムに接続された前記第１移動通信端末機に転送する段階と、
を含むことを特徴とする請求項１に記載の移動通信端末機のショートメッセージサービス遠隔制御方法。
【請求項５】
前記第１移動通信端末機に転送されたＳＭＳメッセージを第２移動通信端末機に転送する段階は、前記第１移動通信端末機に転送されたＳＭＳメッセージを、無線通信網を介して前記クライアントシステムに接続された前記第２移動通信端末機に転送することを特徴とする請求項４に記載の移動通信端末機のショートメッセージサービス遠隔制御方法。
【請求項６】
前記第２移動通信端末機に転送されたＳＭＳメッセージを、前記インターネットを介して転送する段階は、
前記第２移動通信端末機に転送されたＳＭＳメッセージを、前記クライアントシステムに転送する段階と、
前記クライアントシステムに転送されたＳＭＳメッセージを、前記インターネットを介して前記サーバシステムに転送する段階と、
を含むことを特徴とする請求項５に記載の移動通信端末機のショートメッセージサービス遠隔制御方法
【請求項７】
前記第１移動通信端末機に転送されたＳＭＳメッセージ及び前記第２移動通信端末機に転送されたＳＭＳメッセージを前記サーバシステムの画面上に表示することを特徴とする請求項６に記載の移動通信端末機のショートメッセージサービス遠隔制御方法。
【請求項８】
前記第１移動通信端末機は、前記クライアントシステムの第１仮想ＣＯＭポートを介して前記ＳＭＳメッセージを受信し、受信したＳＭＳメッセージをＳＭＳ呼（SMS Call）により前記第２移動通信端末機に転送し、
前記第２移動通信端末機は、前記ＳＭＳ呼により転送されたＳＭＳメッセージを前記クライアントシステムの第２仮想ＣＯＭポートに転送することを特徴とする請求項７に記載の移動通信端末機のショートメッセージサービス遠隔制御方法。
【請求項９】
前記サーバシステムは、前記ＳＭＳメッセージをシリアル通信データに変換し、変換したシリアル通信データをＴＣＰ／ＩＰデータに変換し、変換したＴＣＰ／ＩＰデータを、前記インターネットを介して前記クライアントシステムに転送し、
前記クライアントシステムは、前記ＴＣＰ／ＩＰデータをシリアル通信データに変換し、変換したシリアル通信データを前記第２移動通信端末機に転送する一方、前記第２移動通信端末機から受信したＳＭＳデータをＴＣＰ／ＩＰデータに変換し、変換したＴＣＰ／ＩＰデータを、前記インターネットを介して前記サーバシステムに転送することを特徴とする請求項８に記載の移動通信端末機のショートメッセージサービス遠隔制御方法。
【請求項１０】
前記第１移動通信端末機に転送されたＳＭＳメッセージは、入力されたメッセージと前記第２移動通信端末機の電話番号とを含み、
前記第１移動通信端末機は、前記第２移動通信端末機の電話番号に基づいて、前記第２移動通信端末機に前記ＳＭＳメッセージを転送することを特徴とする請求項１に記載の移動通信端末機のショートメッセージサービス遠隔制御方法。
【請求項１１】
前記第２移動通信端末機に転送されたＳＭＳメッセージは、前記メッセージと前記第１移動通信端末機の電話番号とを含むことを特徴とする請求項１０に記載の移動通信端末機のショートメッセージサービス遠隔制御方法。
【請求項１２】
サーバシステムによって、ＳＭＳテストメッセージをシリアル通信データに変換し、変換したシリアル通信データをＴＣＰ／ＩＰデータに変換し、変換したＴＣＰ／ＩＰデータを、インターネットを介してクライアントシステムに転送する段階と、
前記サーバシステムから受信したＴＣＰ／ＩＰデータをシリアル通信データに変換し、変換したシリアル通信データをシリアルデータ通信により前記クライアントシステムの第１仮想ＣＯＭポートに接続された第１移動通信端末機に転送する段階と、
前記第１移動通信端末機に転送されたシリアル通信データに含まれるＳＭＳテストメッセージを、無線通信網を介して前記クライアントシステムの第２仮想ＣＯＭポートに接続された第２移動通信端末機に転送する段階と、
前記第２移動通信端末機に転送されたＳＭＳテストメッセージをシリアル通信データに変換し、変換したシリアル通信データを前記クライアントシステムに転送する段階と、
前記第２移動通信端末機から前記クライアントシステムに転送されたシリアル通信データをＴＣＰ／ＩＰデータに変換し、変換したＴＣＰ／ＩＰデータを、前記インターネットを介して前記サーバシステムに転送する段階と、
前記インターネットを介して前記クライアントシステムから受信したＴＣＰ／ＩＰデータをシリアル通信データに変換し、変換したシリアル通信データに含まれるＳＭＳテストメッセージを前記サーバシステムの画面上に表示する段階と、
を含むことを特徴とする移動通信端末機のショートメッセージサービス遠隔制御方法。
【請求項１３】
前記サーバシステムは、前記クライアントシステムに転送したＳＭＳテストメッセージ及び前記クライアントシステムから受信したＳＭＳテストメッセージを画面上に表示することを特徴とする請求項１２に記載の移動通信端末機のショートメッセージサービス遠隔制御方法。
【請求項１４】
前記第１移動通信端末機は、前記クライアントシステムから受信したＳＭＳテストメッセージを、ＳＭＳ呼により前記第２移動通信端末機に転送することを特徴とする請求項１２に記載の移動通信端末機のショートメッセージサービス遠隔制御方法。
【請求項１５】
前記第２移動通信端末機は、前記ＳＭＳ呼により転送されたＳＭＳテストメッセージを、シリアルデータ通信により前記クライアントシステムに転送することを特徴とする請求項１４に記載の移動通信端末機のショートメッセージサービス遠隔制御方法。
【請求項１６】
前記サーバシステムに転送されたＳＭＳテストメッセージは、前記第２移動通信端末機に転送されると該第２移動通信端末機の画面上に表示される情報であることを特徴とする請求項１２に記載の移動通信端末機のショートメッセージサービス遠隔制御方法。
【請求項１７】
ＳＭＳメッセージを、インターネットを介して転送するサーバシステムと、
前記インターネットを介して前記サーバシステムに接続され、前記インターネットを介して前記サーバシステムから受信したＳＭＳメッセージを第１移動通信端末機に転送する一方、第２移動通信端末機から受信したＳＭＳメッセージを、前記インターネットを介して前記サーバシステムに転送するクライアントシステムと、を含んで構成され、
前記サーバシステムは、前記クライアントシステムから受信したＳＭＳメッセージを画面上に表示することを特徴とする移動通信端末機のショートメッセージサービス遠隔制御システム。
【請求項１８】
前記第１移動通信端末機は、前記クライアントシステムの仮想ＣＯＭポートに接続され、前記クライアントシステムから受信したＳＭＳメッセージを、無線通信網を介して前記第２移動通信端末機に転送することを特徴とする請求項１７に記載の移動通信端末機のショートメッセージサービス遠隔制御システム。
【請求項１９】
前記第２移動通信端末機は、前記クライアントシステムの仮想ＣＯＭポートに接続され、前記第１移動通信端末機から無線通信網を介して前記ＳＭＳメッセージを受信し、受信したＳＭＳメッセージを前記クライアントシステムに転送することを特徴とする請求項１７に記載の移動通信端末機のショートメッセージサービス遠隔制御システム。
【請求項２０】
前記サーバシステムは、前記第１移動通信端末機に転送されたＳＭＳメッセージ及び前記第２移動通信端末機に受信されたＳＭＳメッセージを画面上に表示することを特徴とする請求項１７に記載の移動通信端末機のショートメッセージサービス遠隔制御システム。
【発明の詳細な説明】
【技術分野】
【０００１】
本発明は、移動通信端末機に関し、特に、移動通信端末機におけるショートメッセージサービス（Short Message Service；以下単に「ＳＭＳ」と記す場合もある）を遠隔制御する方法及び遠隔制御するシステムに関する。
【背景技術】
【０００２】
一般に、移動通信端末機は、その開発段階で様々なエラーを発見し、これを改善するためのテスト等の作業を経た後に販売される。このように移動通信端末機の販売前に必ず行わなければならないテストの一つとして、現地環境（使用が予定される環境）で移動通信端末機が正常に動作するかどうか等を試験するフィールドテストがある。かかるフィールドテストの中でも、特に外国に輸出する移動通信端末機のために行われるＳＭＳテストは、外国通信網（例えば、米国通信網）と自国内通信網（例えば、韓国通信網）との差や無線通信事業者間におけるＳＭＳの差などにより、自国内（例えば、韓国）では、より完全な（精度の高い）フィールドテストを行うのが困難である。
【発明の開示】
【発明が解決しようとする課題】
【０００３】
そのため、ＳＭＳ開発者等が直接外国まで出張し、その外国において、（その外国に輸出しようとする）移動通信端末機によりＳＭＳテストメッセージを送・受信してＳＭＳテストを行わなければならないという問題があった。例えば、移動通信端末機を米国で販売するためには、ＳＭＳ開発者等が直接米国まで出向き、米国において、当該移動通信端末機によってメッセージ本文（文字）と受信者（の移動通信端末機）の電話番号とを含むＳＭＳテストメッセージを送信し、この送信したＳＭＳテストメッセージを、米国の無線通信網に接続されている（米国の無線通信網を利用している）該当電話番号の移動通信端末機によってＳＭＳテストメッセージを受信することにより、及び／又は、その逆のＳＭＳテストメッセージの送・受信を行うこと等により、ＳＭＳテストメッセージが正常に送・受信されたかどうかを確認しなければならないのである。
【０００４】
なお、従来のＳＭＳメッセージの送信方法及び受信方法については、下記特許文献１にも記載されている。
【特許文献１】米国特許第６，７６０，５８４号明細書  米国特許第６，７６０，５８４号にも記載されている。
【０００５】
本発明は、このような従来の問題を解決するためになされたものであって、移動通信端末機のＳＭＳを、インターネットを介して遠隔地から制御し、該遠隔地から移動通信端末機のＳＭＳが正常に実行されているかどうか（動作しているかどうか）を容易に確認することができる、移動通信端末機のショートメッセージサービス遠隔制御方法及び遠隔制御システムを提供することを目的とする。なお、本明細書における遠隔地には、外国のみならず、自国内の地域、例えば、ＳＭＳテストにおいてインターネットを介して移動通信端末機のＳＭＳを遠隔制御した方が（開発面、コスト面等から）好ましい地域も含まれるものとする。
【課題を解決するための手段】
【０００６】
上記の目的を達成するために、本発明による移動通信端末機のショートメッセージサービス遠隔制御方法は、ＳＭＳメッセージを、インターネットを介して遠隔地に位置する第１移動通信端末機に転送する段階と、前記第１移動通信端末機に転送されたＳＭＳメッセージを前記遠隔地に位置する第２移動通信端末機に転送する段階と、前記第２移動通信端末機に転送されたＳＭＳメッセージを、前記インターネットを介して転送する段階とを含むことを特徴とする。
【０００７】
また、本発明による移動通信端末機のショートメッセージサービス遠隔制御方法は、サーバシステムによって、（使用者等が作成した）ＳＭＳテストメッセージをシリアル通信データに変換し、変換したシリアル通信データをＴＣＰ／ＩＰ（Transmission Control Protocol/Internet Protocol）データに変換し、変換したＴＣＰ／ＩＰデータを、インターネットを介してクライアントシステムに転送する段階と、前記サーバシステムから受信したＴＣＰ／ＩＰデータをシリアル通信データに変換し、変換したシリアル通信データをシリアルデータ通信により前記クライアントシステムの第１仮想ＣＯＭポートに接続された第１移動通信端末機に転送する段階と、前記第１移動通信端末機に転送されたシリアル通信データに含まれるＳＭＳテストメッセージを、無線通信網を介して前記クライアントシステムの第２仮想ＣＯＭポートに接続された第２移動通信端末機に転送する段階と、前記第２移動通信端末機に転送されたＳＭＳテストメッセージをシリアル通信データに変換し、変換したシリアル通信データを前記クライアントシステムに転送する段階と、前記第２移動通信端末機から前記クライアントシステムに転送されたシリアル通信データをＴＣＰ／ＩＰデータに変換し、変換したＴＣＰ／ＩＰデータを、前記インターネットを介して前記サーバシステムに転送する段階と、前記インターネットを介して前記クライアントシステムから受信したＴＣＰ／ＩＰデータをシリアル通信データに変換し、変換したシリアル通信データに含まれるＳＭＳテストメッセージを前記サーバシステムの画面上に表示する段階とを含むことを特徴とする。
【０００８】
さらに、本発明による移動通信端末機のショートメッセージサービス遠隔制御システムは、ＳＭＳメッセージを、インターネットを介して転送するサーバシステムと、前記インターネットを介して前記サーバシステムに接続され、前記インターネットを介して前記サーバシステムから受信したＳＭＳメッセージを第１移動通信端末機に転送する一方、第２移動通信端末機から受信したＳＭＳメッセージを、前記インターネットを介して前記サーバシステムに転送するクライアントシステムとを含んで構成され、前記サーバシステムは、前記クライアントシステムから受信したＳＭＳメッセージを画面上に表示することを特徴とする。
【発明の効果】
【０００９】
本発明による移動通信端末機のショートメッセージサービス（ＳＭＳ）遠隔制御方法及び遠隔制御システムによれば、移動通信端末機のＳＭＳを、インターネットを介して遠隔地から制御（遠隔制御）することにより、該遠隔地から移動通信端末機のＳＭＳが正常に実行されているか（動作しているか）どうかを容易に確認できるという効果がある。
【００１０】
例えば、外国で販売する移動通信端末機のＳＭＳテストのために、ＳＭＳ開発者等が直接外国（例えば、米国）まで行くことなく、自国（例えば、韓国）内にあるサーバシステムによって、外国（米国）にあるクライアントシステムに接続された第１移動通信端末機を制御してＳＭＳテストメッセージを送信し、この送信したＳＭＳテストメッセージを前記クライアントシステムに接続された第２移動通信端末機を利用して受信し、この受信したＳＭＳテストメッセージを前記サーバシステムに転送することにより、自国（韓国）にいるＳＭＳ開発者等が前記サーバシステムによってＳＭＳテストメッセージが外国（米国）で正常に送・受信されたかどうか（動作したかどうか）を容易に確認できるという効果がある。
【発明を実施するための最良の形態】
【００１１】
以下、移動通信端末機のＳＭＳ開発者等が、自国内（例えば、韓国内）で遠隔地（例えば、米国などの外国）にある移動通信端末機のＳＭＳを、インターネットを介して遠隔制御して、ＳＭＳメッセージをリアルタイムに受信することによって、自国（韓国）にいるＳＭＳ開発者等が遠隔地（米国）にある移動通信端末機のＳＭＳが正常に実行されているかどうか（正常に動作しているかどうか）を容易に確認することができる、移動通信端末機のショートメッセージサービス遠隔制御方法及び遠隔制御システムについて、図１〜図４を参照して説明する。
【００１２】
図１は、本発明の一実施形態による移動通信端末機のショートメッセージサービス遠隔制御システム（ＳＭＳ遠隔制御システム）の構成を示す図である。
【００１３】
図１に示すように、本実施形態による移動通信端末機のショートメッセージサービス遠隔制御システムは、ＳＭＳ開発者等によって入力されたＳＭＳメッセージ（例えば、ＳＭＳテストメッセージ）を、ＳＭＳテストツール（例えば、ＳＭＳテストプログラム）によりインターネットを介して転送し、このインターネットを介して転送されたＳＭＳメッセージを表示するサーバシステム（例えば、サーバパソコン）１００と、インターネットを介してサーバシステム１００と接続され、インターネットを介してサーバシステム１００から受信したＳＭＳメッセージを送信用移動通信端末機２０１に転送するとともに、受信用移動通信端末機２０２から受信したＳＭＳメッセージを、インターネットを介してサーバシステム１００に転送するクライアントシステム（例えば、クライアントパソコン）２００とを含んで構成される。なお、上記ＳＭＳテストプログラムは、公知技術であり、また、多様に変更することができるものであるため、これに関する詳細な説明は省略する。
【００１４】
送信用移動通信端末機２０１は、クライアントシステム２００に接続されており、クライアントシステム２００から受信したＳＭＳメッセージを、無線通信網を介して受信用移動通信端末機２０２に転送する。
【００１５】
受信用移動通信端末機２０２は、クライアントシステム２００に接続されており、無線通信網を介して、送信用移動通信端末機２０１からＳＭＳメッセージを受信し、この受信したＳＭＳメッセージをクライアントシステム２００に転送する。ここで、クライアントシステム２００は、受信用移動通信端末機２０２から受信したＳＭＳメッセージを、インターネットを介してサーバシステム１００に転送する。
【００１６】
送信用移動通信端末機２０１及び受信用移動通信端末機２０２は、ＳＭＳテスト等のために、クライアントシステム２００の２つの仮想ＣＯＭポート（virtual comport）を介して、クライアントシステム２００にそれぞれ直接接続される。
【００１７】
以下、本実施形態に係る移動通信端末機のショートメッセージサービス遠隔制御システム（ＳＭＳ遠隔制御システム）の動作を説明する。
【００１８】
まず、サーバシステム１００は、ＳＭＳ開発者等が入力したＳＭＳメッセージ（ＳＭＳテストメッセージ）をシリアル通信データに変換し、この変換したシリアル通信データを（さらに）ＴＣＰ／ＩＰデータ（ＴＣＰ／ＩＰパケット）に変換し、この変換したＴＣＰ／ＩＰデータを、インターネットを介してクライアントシステム２００に転送する。ここで、サーバシステム１００は、上記シリアル通信データ（ＳＭＳメッセージを変換したシリアル通信データ）を仮想ＣＯＭポートに送り、この仮想ＣＯＭポートに送られたシリアル通信データをＴＣＰ／ＩＰデータに変換することが好ましい。
【００１９】
クライアントシステム２００は、インターネットに接続されたサーバシステム１００から受信したＴＣＰ／ＩＰデータをシリアル通信データに変換し、この変換したシリアル通信データを、シリアルデータ通信により（自分の）仮想ＣＯＭポートに接続された送信用移動通信端末機２０１に転送する。
【００２０】
送信用移動通信端末機２０１は、クライアントシステム２００から受信したシリアル通信データに含まれるＳＭＳメッセージを、無線通信網を介して受信用移動通信端末機２０２に転送する。例えば、送信用移動通信端末機２０１は、ＳＭＳメッセージをＳＭＳ呼（SMS call）により受信用移動通信端末機２０２に転送する。
【００２１】
その後、受信用移動通信端末機２０２は、ＳＭＳ呼により転送されたＳＭＳメッセージを受信し、この受信したＳＭＳメッセージをクライアントシステム２００に転送する。例えば、受信用移動通信端末機２０２は、受信したＳＭＳメッセージをシリアル通信データに変換し、この変換したシリアル通信データをシリアルデータ通信によりクライアントシステム２００に転送する。
【００２２】
クライアントシステム２００は、受信用移動通信端末機２０２から転送されたシリアル通信データを、（自分の）仮想ＣＯＭポートを介して受信し、この受信したシリアル通信データをＴＣＰ／ＩＰデータに変換し、この変換したＴＣＰ／ＩＰデータを、インターネットを介してサーバシステム１００に転送する。
【００２３】
サーバシステム１００は、インターネットを介してクライアントシステム２００から受信したＴＣＰ／ＩＰデータをシリアル通信データに変換し、この変換したシリアル通信データに含まれるＳＭＳメッセージを画面上に表示する。ここで、サーバシステム１００は、（自分の）仮想ＣＯＭポートを介して上記ＳＭＳメッセージを受信し、この受信したＳＭＳメッセージをＳＭＳテストツールにより画面上に表示することが好ましい。
【００２４】
本実施形態に係る移動通信端末機のショートメッセージサービス遠隔制御システムは、以上のような構成を有しており、これにより、ＳＭＳ開発者等は、移動通信端末機の輸出相手国にまで行ってＳＭＳテストを行う必要はなく、自国内で（フィールドテストの一つである）ＳＭＳテストを容易に行うことができる。
【００２５】
図２は、本実施形態において、サーバシステム１００に設置された（格納された）ＳＭＳテストツールの画面例を示す図である。
【００２６】
図２に示すように、ＳＭＳテストツールの（サーバシステム１００の）画面上には、送信用移動通信端末機２０１の仮想イメージ（２０１−Ａ）と、受信用移動通信端末機２０２の仮想イメージ（２０２−Ａ）とが表示される。ＳＭＳ開発者等は、この表示された送信用移動通信端末機の仮想イメージ（２０１−Ａ）により、受信者（受信用移動通信端末機）の電話番号と送信しようとするメッセージとを含むＳＭＳメッセージを入力することができる。
【００２７】
また、ＳＭＳ開発者等は、画面上に表示された受信用移動通信端末機の仮想イメージ（２０２−Ａ）により、受信用移動通信端末機２０２に受信されたＳＭＳメッセージの情報を確認することができる。ここで、サーバシステム１００に転送された受信用移動通信端末機２０２のＳＭＳメッセージには、ＳＭＳ開発者等により作成されたメッセージ（例えば、Ｉ  ａｍ  ｈａｐｐｙ！！）だけではなく、送信者（送信用移動通信端末機）の電話番号及び／又はメッセージの受信時間などのように、受信用移動通信端末機２０２の画面上に表示される全ての情報を含まれるのが好ましい。
【００２８】
ここで、本発明の実施形態に係る移動通信端末機のＳＭＳ遠隔制御システムにおいて、ＳＭＳメッセージをサーバシステム１００からクライアントシステム２００に転送する方法について図３を参照して説明する。
【００２９】
図３は、本発明の実施形態に係る動通信端末機のＳＭＳ遠隔制御システムにおいて、ＳＭＳメッセージをサーバシステムからクライアントシステムに転送する方法を示すフローチャートである。
【００３０】
まず、ＳＭＳ開発者等は、サーバシステム１００に設置された（格納された）ＳＭＳテストツールにより、転送するメッセージと受信者（受信用移動通信端末機２０２）の電話番号）とを含むＳＭＳメッセージを入力する（Ｓ１）。このとき、サーバシステム１００は、上記メッセージと受信者の電話番号とを含むＳＭＳメッセージをシリアル通信データに変換し、この変換したシリアル通信データを仮想ＣＯＭポートに送る（Ｓ２）。
【００３１】
その後、サーバシステム１００は、上記仮想ＣＯＭポートに送られたシリアル通信データにクライアントシステム２００のＩＰ（例えば、ＩＰアドレス）を付与し、このＩＰが付与されたシリアル通信データをＴＣＰ／ＩＰデータに変換した後（Ｓ３）、この変換したＴＣＰ／ＩＰデータを、インターネットを介してクライアントシステム２００に転送する（Ｓ４）。
【００３２】
次に、クライアントシステム２００は、インターネットを介して上記ＴＣＰ／ＩＰデータを受信すると（Ｓ５）、この受信したＴＣＰ／ＩＰデータをシリアル通信データに変換し（Ｓ６）、この変換したシリアル通信データを、仮想ＣＯＭポートを介して送信用移動通信端末機２０１に転送する（Ｓ７）。このとき、送信用移動通信端末機２０１は、シリアル通信データに含まれるＳＭＳメッセージを、無線通信網を介して、該ＳＭＳメッセージに含まれた受信者の電話番号に該当する受信用移動通信端末機２０２に送信する。
【００３３】
次に、本発明の実施形態に係る移動通信端末機のＳＭＳ遠隔制御システムにおいて、ＳＭＳメッセージをクライアントシステム２００からサーバシステム１００に転送する方法について図４を参照して説明する。
【００３４】
図４は、本発明の実施形態に係る移動通信端末機のＳＭＳ遠隔制御システムにおいて、ＳＭＳメッセージをクライアントシステムからサーバシステムに転送する方法を示すフローチャートである。
【００３５】
まず、受信用移動通信端末機２０２は、無線通信網を介してＳＭＳメッセージを受信し、この受信したＳＭＳメッセージをシリアル通信データに変換し（Ｓ１１）、この変換したシリアル通信データを、仮想ＣＯＭポートを介してクライアントシステム２００に転送する。
【００３６】
次に、クライアントシステム２００は、受信用移動通信端末機２０２から転送されたシリアル通信データにサーバシステム１００のＩＰを付与し、このＩＰが付与されたシリアル通信データをＴＣＰ／ＩＰデータに変換し（Ｓ１２）、この変換したＴＣＰ／ＩＰデータを、インターネットを介してサーバシステム１００に転送する（Ｓ１３）。
【００３７】
次に、サーバシステム１００は、インターネットを介してクライアントシステム２００から上記ＴＣＰ／ＩＰデータを受信すると（Ｓ１４）、この受信したＴＣＰ／ＩＰデータをシリアル通信データに変換し（Ｓ１５）、この変換したシリアル通信データに含まれるＳＭＳメッセージを、ＳＭＳテストツールにより画面上に表示する（Ｓ１６）。
【００３８】
以上説明したように、本実施形態に係る移動通信端末機のショートメッセージサービス遠隔制御システム（遠隔制御方法）を用いることにより、ＳＭＳ開発者等は、移動通信端末機のＳＭＳテストのために、該移動通信端末機を販売（輸出）する外国まで行く必要がなく、サーバシステム１００の画面上に表示されたＳＭＳメッセージに基づいて、その外国にある移動通信端末機のＳＭＳが正常に実行されているかどうか（正常に動作しているかどうか）を自国内において容易に確認することができる。
【図面の簡単な説明】
【００３９】
【図１】本発明の実施形態に係る移動通信端末機のショートメッセージサービス遠隔制御システムの構成を示す図である。
【図２】本発明の実施形態に係るサーバシステムに設置されたＳＭＳテストツールの画面例を示す図である。
【図３】本発明の実施形態に係る移動通信端末機のＳＭＳ遠隔制御システムにおいて、ＳＭＳメッセージをサーバシステムからクライアントシステムに転送する方法を示すフローチャートである。
【図４】本発明の実施形態に係る移動通信端末機のＳＭＳ遠隔制御システムにおいて、ＳＭＳメッセージをクライアントシステムからサーバシステムに転送する方法を示すフローチャートである。
【符号の説明】
【００４０】
１００  サーバシステム
２００  クライアントシステム
２０１  送信用移動通信端末機
２０２  受信用移動通信端末機
【図１】
2006148933.tif 000003
【図２】
2006148933.tif 000004
【図３】
2006148933.tif 000005
【図４】
2006148933.tif 000006